【手続補正書】
【提出日】平成18年2月22日(2006.2.22)
【手続補正１】
【補正対象書類名】特許請求の範囲
【補正対象項目名】全文
【補正方法】変更
【補正の内容】
【特許請求の範囲】
【請求項１】
衛星テレビジョン地上システムのための屋外ユニットであって、
第１および第２の衛星から第１および第２の衛星テレビジョン信号を受信する手段と、
前記第１および第２の衛星テレビジョン信号を処理する手段と、
処理した前記第１および第２の衛星テレビジョン信号を前記衛星テレビジョン地上システムの屋内ユニットに供給する手段と、
前記屋内ユニットからアップリンク信号を受信する手段と、
受信した前記アップリンク信号を処理する手段と、
前記ダウンリンク回路が、前記第１と第２の衛星のうちの一方と信号固定されているときに、処理した前記アップリンク信号を衛星伝送アンテナに供給する手段とを備える屋外ユニット。
【請求項２】
前記第１と第２の衛星のうちの一方と信号固定された状態を示すアップリンク制御信号を、前記屋内ユニットから受信する手段を更に備える、請求項１記載の屋外ユニット。
【請求項３】
前記アップリンク制御信号が、アップリンク・データ信号およびアップリンク発振信号を含む、請求項２記載の屋外ユニット。
【請求項４】
前記アップリンク発振信号が、前記第１と第２の衛星テレビジョン信号のうちの一方から得られる、請求項３記載の屋外ユニット。
【請求項５】
前記アップリンク発振信号が、前記第１と第２の衛星テレビジョン信号のうちの一方からの周波数変換誤差データから得られる、請求項４記載の屋外ユニット。
【請求項６】
衛星テレビジョン地上システムの屋外ユニット中でテレビジョン放送衛星とのアップリンク通信を供給する方法であって、
第１および第２の衛星から第１および第２の衛星テレビジョン信号を受信するステップと、
前記第１および第２の衛星テレビジョン信号を処理するステップと、
前記処理した第１および第２の衛星テレビジョン信号を前記衛星テレビジョン地上システムの屋内ユニットに供給するステップと、
前記屋内ユニットからアップリンク信号を受信するステップと、
前記受信したアップリンク信号を処理するステップと、
前記ダウンリンク回路が前記第１と第２の衛星のうちの一方と信号固定されているときに、前記処理したアップリンク信号を衛星伝送アンテナに供給するステップとを含む方法。
【請求項７】
前記第１と第２の衛星のうちの一方と信号固定された状態を示すアップリンク制御信号を、前記屋内ユニットから受信するステップを更に含む、請求項６記載の方法。
【請求項８】
前記アップリンク制御信号が、アップリンク・データ信号およびアップリンク発振信号を含む、請求項７記載の方法。
【請求項９】
前記アップリンク発振信号が、前記第１と第２の衛星テレビジョン信号のうちの一方から得られる、請求項８記載の方法。
【請求項１０】
前記アップリンク発振信号が、前記第１と第２の衛星テレビジョン信号のうちの一方からの周波数変換誤差データから得られる、請求項９記載の方法。
【手続補正２】
【補正対象書類名】明細書
【補正対象項目名】発明の名称
【補正方法】変更
【補正の内容】
【発明の名称】衛星テレビジョン地上システムのための屋外ユニットおよびアップリンク通信を供給する方法
【手続補正３】
【補正対象書類名】明細書
【補正対象項目名】００１０
【補正方法】変更
【補正の内容】
【００１０】
一形態として、本発明は、衛星テレビジョン地上システムのための屋外ユニットである。この屋外ユニットは、ダウンリンク回路およびアップリンク回路を備えている。ダウンリンク回路は、第１および第２の衛星から第１および第２の衛星テレビジョン信号を受信し、第１および第２の衛星テレビジョン信号を処理し、処理した第１および第２の衛星テレビジョン信号を衛星テレビジョン地上システムの屋内ユニットに供給するように動作する。アップリンク回路は、屋内ユニットからアップリンク信号を受信し、受信したアップリンク信号を処理し、ダウンリンク回路が第１と第２の衛星のうちの一方と信号固定（ｓｉｇｎａｌ−ｌｏｃｋｅｄ：信号がロック）されているときに、処理したアップリンク信号を衛星伝送アンテナに供給するように動作する。
【手続補正４】
【補正対象書類名】明細書
【補正対象項目名】００１１
【補正方法】変更
【補正の内容】
【００１１】
別の形態として、本発明は、衛星テレビジョン地上システムのための屋外ユニットである。この屋外ユニットは、第１および第２の衛星から第１および第２の衛星テレビジョン信号を受信する手段と、第１および第２の衛星テレビジョン信号を処理する手段と、処理した第１および第２の衛星テレビジョン信号を衛星テレビジョン地上システムの屋内ユニットに供給する手段と、屋内ユニットからアップリンク信号を受信する手段と、受信したアップリンク信号を処理する手段と、ダウンリンク回路が第１と第２の衛星のうちの一方と信号固定されているときに、処理したアップリンク信号を衛星伝送アンテナに供給する手段とを備えている。
【手続補正５】
【補正対象書類名】明細書
【補正対象項目名】００１２
【補正方法】変更
【補正の内容】
【００１２】
更に別の形態として、本発明は、衛星テレビジョン地上システムの屋外ユニット中で、テレビジョン放送衛星とのアップリンク通信を供給する方法である。この方法は、（ａ）第１および第２の衛星から第１および第２の衛星テレビジョン信号を受信するステップと、（ｂ）第１および第２の衛星テレビジョン信号を処理するステップと、（ｃ）処理した第１および第２の衛星テレビジョン信号を衛星テレビジョン地上システムの屋内ユニットに供給するステップと、（ｄ）屋内ユニットからアップリンク信号を受信するステップと、（ｅ）受信したアップリンク信号を処理するステップと、（ｆ）ダウンリンク回路が第１と第２の衛星のうちの一方と信号固定されているときに、処理したアップリンク信号を衛星伝送アンテナに供給するステップとを含んでいる。
【手続補正６】
【補正対象書類名】明細書
【補正対象項目名】００２２
【補正方法】変更
【補正の内容】
【００２２】
屋外ユニット２４は、２つの衛星テレビジョン信号を受信し、受信した衛星テレビジョン信号をダウンコンバートおよび粗同調し、制御された衛星テレビジョン信号（ダウンリンク信号）を屋内ユニット３０に供給するように動作する。従って、屋外ユニット２４は、信号を区分化して屋内ユニット３０への帯域幅を最小限に抑える。更に、屋外ユニット２４は、屋内ユニット３０からアップリンク信号を受信し、受信したアップリンク信号をアップコンバートし、アップコンバートしたアップリンク信号を送信に向けて供給するように動作する。本発明の一態様によれば、屋外ユニット２４は、ダウンリンクとアップリンクのために関連した発振器を利用する。具体的には、屋外ユニット２４は、ダウンリンクとアップリンクに単一の発振器を利用する。より具体的には、屋外ユニット２４は、ダウンリンクと、屋内ユニット３０から受信したアップリンクとに、単一の発振器を利用する。更に、屋外ユニット２４は、単一の無線周波数（ＲＦ）ケーブル３２を介して屋内ユニット３０への送信を行う。
【手続補正７】
【補正対象書類名】明細書
【補正対象項目名】００２３
【補正方法】変更
【補正の内容】
【００２３】
屋内ユニット３０は、ダウンリンク信号を受信し、ダウンリンク信号中の周波数変換誤差（ダウンリンク搬送波周波数オフセット）を測定し、アップリンク信号を適切に調整する（例えばその変調器中の予回転により受信機搬送波オフセットを除去する、または異なる合成比率でシステム基準をスケール化する）ように動作する。屋内ユニット３０は、周波数変換誤差を測定し、次いでこれらの周波数変換誤差を送信（アップリンク）に向けて反転する。また、屋内ユニット３０は、屋外ユニット２４のためのマスタ基準発振信号および制御信号を、単一のＲＦケーブル３２を介して屋外ユニット２４に供給する。また、屋内ユニット３０は、それ自体および屋外ユニット２４のための基準クロック信号または発振信号を生成／作成して供給するように動作する。このようにして、アップリンクとダウンリンクが、関連した発振器を利用する。
【手続補正８】
【補正対象書類名】明細書
【補正対象項目名】００２５
【補正方法】変更
【補正の内容】
【００２５】
屋外ユニット２４は、粗同調器（ｃｏａｒｓｅ  ｔｕｎｅｒ）３６も備えている。別々のブロック・ダウンコンバート済み衛星テレビジョン信号（即ち第１および第２のブロック・ダウンコンバート済み衛星テレビジョン信号）毎の、ＬＮＢ変換器３４の別々の出力が、粗同調器３６に供給される。粗同調器３６は、ＬＮＢ変換器３４からの第１および第２のダウンコンバート済み衛星テレビジョン信号を別々にブロック同調するように動作する。各ブロック・ダウンコンバート済み衛星テレビジョン信号の粗同調は、周波数固定発振器４０から供給される基準発振信号（特定周波数の発振信号）を利用する粗同調技法により達成される。別々の第１と第２の粗同調済み出力（ダウンリンク信号）は、単一のケーブル３２に結合されたダイプレクサ３８中で組合わされる。従ってダウンリンク信号は、ケーブル３２を介して屋内ユニット３０に供給される。ダウンリンク信号は、ダイプレクサ（ｄｉｐｌｅｘｅｒ）３８により周波数分割多重化された後で屋内ユニット３０に送られる。このようにして、屋内ユニット３０は２つのダウンリンク信号を受信し、これらを更に処理する。
【手続補正９】
【補正対象書類名】明細書
【補正対象項目名】００２７
【補正方法】変更
【補正の内容】
【００２７】
屋外ユニット２４は、アップリンク回路／論理（ｌｏｇｉｃ）４２も備えている。アップリンク回路／論理４２は、ケーブル３２を介して屋内ユニット３０からアップリンク信号を受信し、出力１を介して処理済みアップリンク信号を伝送アンテナ（アンテナ１６とアンテナ１８のどちらか）に供給するように動作する。アップリンク回路／論理４２は、周波数固定発振器（ｆｒｅｑｕｅｎｃｙ  ｌｏｃｋｅｄ  ｏｓｃｉｌｌａｔｏｒ）４０と通信する。従って、アップリンク回路／論理４２は、周波数固定発振器４０から供給される基準発振信号（特定周波数の発振信号）を受信し、これを利用してアップリンク周波数を衛星への送信に適するようにアップコンバートする。
【手続補正１０】
【補正対象書類名】明細書
【補正対象項目名】００３１
【補正方法】変更
【補正の内容】
【００３１】
処理回路５０は、周波数誤差信号を屋内ユニット３０の様々な構成要素に供給する。具体的には、処理回路５０は、アップリンク信号処理回路／論理５４および屋外ユニット制御モデム５６に周波数誤差信号を供給する。屋外ユニット２４との通信／屋外ユニット２４への通信のために、屋外ユニット制御モデムからの制御信号が、ケーブル３２（従って屋外ユニット２４）に生成される。また、アップリンク信号処理回路／論理５４は、屋内ユニット３０により生成されたアップリンク信号を受信する。処理回路５０からの周波数誤差信号がアップリンク信号と組合わされ、相応に処理されて、周波数補償済みアップリンク信号が供給される。周波数補償済みアップリンク信号は、屋外ユニット制御モデム信号、およびマスタ発振器処理回路／論理５２からのマスタ発振器（クロック）信号と加算される。組合わされた信号は、通信ケーブル３２を介して屋外ユニット２４に供給される。
【手続補正１１】
【補正対象書類名】明細書
【補正対象項目名】００３３
【補正方法】変更
【補正の内容】
【００３３】
図３を参照すると、屋外ユニット２４の詳細な例示的実施例が示してある。本発明の一態様によれば、屋外ユニット２４は、屋内ユニット３０からマスタ発振信号または基準トーン信号（ｆｒｅｆｌｏ）を受信する。具体的には、周波数固定発振器４０が、屋内ユニット３０からマスタ発振信号を受信し、マスタ発振信号を利用して、屋外ユニット２４のための発振器／クロック信号を生成および／または作成する。マスタ発振信号、基準発振信号、または基準トーンは、入来信号（屋外ユニット２４からの）の測定された周波数誤差データに従って屋内ユニット３０により生成される。より具体的には、周波数固定発振器４０の帯域通過（バンド・パス）フィルタ（ＢＰＦ：Ｂａｎｄ  Ｐａｓｓ  Ｆｉｌｔｅｒ）７２が、マスタ発振信号を受信し、この入来信号の望ましくない部分があれば濾波して除去する。次いで、発振信号は増幅器７４に供給される。増幅器７４からの中間発振信号が、アップリンク部分４２、粗同調器３６、および、周波数固定発振器４０のその他の構成要素に供給される。
【手続補正１２】
【補正対象書類名】明細書
【補正対象項目名】００３５
【補正方法】変更
【補正の内容】
【００３５】
周波数固定発振器４０は、バッファ７４からの中間発振信号７７を更に処理して、最終発振信号を生成する。最終発振信号は、ＬＮＢブロック変換器３４と、アップリンク部分４２のアップコンバータとに供給される。具体的には、バッファ７４からの中間発振信号７７は、位相ロック・ループ７５に供給される。より具体的には、中間発振信号７７は位相比較器７６に供給され、この出力はループ・フィルタ７８に供給される。ループ・フィルタ７８の出力は、電圧制御型誘電体共振発振器（ＶＣＤＲＯ：Ｖｏｌａｔｅｇｅ  Ｃｏｎｔｒｏｌｌｅｄ  Ｄｉｅｌｅｃｔｒｉｃ  Ｒｅｓｏｎａｔｏｒ  Ｏｓｃｉｌｌａｔｏｒ）８０に供給される。電圧制御型誘電体共振発振器（ＶＣＤＲＯ８０）は、最終発振信号（ｆｒｅｆｈｉ）を生成する。位相ロック・ループ（ＰＬＬ）７５は、最終発振信号（ｆｒｅｆｈｉ）を利用して位相ロック・ループを実行する。具体的には、最終発振信号（ｆｒｅｆｈｉ）は、１／４プリスケーラ８２への入力として供給される。１／４プリスケーラ８２の出力は、１／ｐ分周器８４への入力として供給される。１／ｐ分周器８４の出力は、位相比較器７６への入力として供給される。位相比較器７６は、プリスケール化および分周された最終発振信号（ｆｒｅｆｈｉ）の位相を、バッファ７４からの中間発振信号７７の位相と比較するように動作する。受信した制御データに従って、位相ロック・ループ７５を相応に調整する。
【手続補正１３】
【補正対象書類名】明細書
【補正対象項目名】００３６
【補正方法】変更
【補正の内容】
【００３６】
また、屋外ユニット２４は、同軸ケーブル３２を介して屋内ユニットから制御データ／制御データ信号も受信する。制御データは、屋外ユニット２４の制御データ処理回路／論理７０が受信する。制御データ処理回路／論理７０は、入来制御データを処理し、制御データを屋外ユニット２４の適切な構成要素に供給する（例えば、バラクタ制御電圧、無線周波数（ＲＦ）帯域交換制御、シンセサイザー制御など）。具体的には、制御データは、屋外ユニット２４の様々なシンセサイザー、バラクタ、およびその他の構成要素に適宜供給される。ＬＮＢ変換器３４、粗同調器３６、アップリンク部分４２は、制御データと、周波数固定発振器４０からのマスタ発振信号とを利用する。単一の発振信号が、屋外ユニット２４の様々な部分またはセクションによりその各機能のために利用され、制御データが、屋外ユニット２４の様々な部分またはセクションにより利用される。具体的には、制御データは、屋外ユニット２４の様々な構成要素および／または部分の、機能および／または動作を制御する。
【手続補正１４】
【補正対象書類名】明細書
【補正対象項目名】００４１
【補正方法】変更
【補正の内容】
【００４１】
第１のブロック・ダウンコンバート済み信号は、粗同調器３６の第１の周波数ダウンコンバータ１２９に入力される。第２のブロック・ダウンコンバート済み信号は、粗同調器３６の第２の周波数ダウンコンバータ１３９に入力される。第１の周波数ダウンコンバータ１２９は、第１のブロック・ダウンコンバート済み衛星テレビジョン信号を粗同調するように働き、第２の周波数ダウンコンバータ１３９は、第２のブロック・ダウンコンバート済み衛星テレビジョン信号を粗同調するように動作する。第１と第２のブロック・ダウンコンバート済み衛星テレビジョン信号は、ケーブル３２を介して送信されるように、アナログ加算器３８中で組合わされる。第１および第２の周波数ダウンコンバータ１２９および１３９は、屋内ユニットからの制御データと、第１の周波数アップコンバータ９９からの中間発振信号とを受信して利用する。具体的には、第１および第２の周波数ダウンコンバータ１２９および１３９は、制御データを利用して混合または組合わせ信号の周波数を調整し、中間発振信号を使用して混合信号または組合わせ信号を合成する。
【手続補正１５】
【補正対象書類名】明細書
【補正対象項目名】００４３
【補正方法】変更
【補正の内容】
【００４３】
周波数可変帯域通過フィルタ１３０は、制御データを受信し、それに従って、入力された第１のブロック・ダウンコンバート済み衛星テレビジョン信号の濾波を供給するように動作する。信号シンセサイザー１３２は、増幅器７４から中間発振信号を受信し、合成信号ｆ１を合成して、ミクサー１３４を介して第１のブロック・ダウンコンバート済み衛星テレビジョン信号と混合または組合わせるように動作する。コンバイナ１３４からの結果的な信号は、帯域通過フィルタ１３６に入力され、望ましくない雑音／信号があれば濾波されて除去される。帯域通過フィルタ１３６の出力は、増幅器１３８に入力される。従って、第１の粗同調済み衛星テレビジョン信号は、ケーブル３２を介して屋内ユニット３０に供給される。
【手続補正１６】
【補正対象書類名】明細書
【補正対象項目名】００４７
【補正方法】変更
【補正の内容】
【００４７】
次に図４を参照すると、アップリンク部分４２のアップリンク変換器９０の別の実施例が示してあり、これを９０′で一般に示す。この別のアップリンク変換器９０′は、図３のアップリンク変換器９０の代わりに使用する。本質的に、この変換器は、２つのステップでアップリンク信号をアップリンク衛星帯域に変える。アップリンク変換器９０′はミクサーまたは乗算器１５２を有し、このミクサーまたは乗算器１５２は、周波数可変帯域通過フィルタ１０６からの中間アップリンク信号をライン１６８上で受信する第１の入力と、周波数逓倍器１５０からの信号を受信する第２の入力とを有する。周波数逓倍器１５０は、ライン１６６上で位相ロック・ループ７５から最終発振信号ｆｒｅｆｈｉを受信し、この最終発振信号ｆｒｅｆｈｉをｌ（エル）で逓倍するように動作する。アイテム１５０についての乗数ｌ（エル）と、後述するアイテム１５８についての乗数ｋの選択は、高周波数またはマイクロ波回路設計に関する通常の設計技法に従って行う。因数ｌ(エル)、ｋ、ｎは全て整数であり、ｎはｌ（エル）とｋの積に等しい（ｎ＝ｌ（エル）×ｋ）。ミクサー１５２からの結果的な信号は、増幅器１５４に供給される。増幅器１５４の出力は、帯域通過フィルタ１５６に供給される。帯域通過フィルタ１５６の出力は、ミクサーまたはコンバイナ１６０の一方の入力に供給される。ミクサー１６０の他方の入力は、周波数逓倍器１５８からの周波数逓倍済み発振信号を受信する。周波数逓倍器１５８は、ライン１６６上で位相ロック・ループ７５から最終発振信号ｆｒｅｆｈｉを受信し、この最終発振信号をｋで逓倍するように動作する。ミクサー１６０からの結果的な信号は、増幅器１６２に供給される。増幅器１６２の出力は、帯域通過フィルタ１６４に供給される。帯域通過フィルタの出力は、増幅器１０８により増幅された後でアンテナ１６／１８により送信されるアップリンク信号である。標準的な周波数逓倍器設計技法に従えば、ｎおよびｎ／２は整数でなければならない。この別のアップリンク変換器９０′は、アップリンク中の帯域通過フィルタのフィルタ設計、並びに周波数逓倍器を単純化する。
【手続補正１７】
【補正対象書類名】明細書
【補正対象項目名】００４８
【補正方法】変更
【補正の内容】
【００４８】
次に図５を参照すると、屋内ユニット３０の詳細な例示的実施例が示されている。微同調器４４は、ケーブル３２を介して屋外ユニット２４から第１および第２の粗同調済み衛星テレビジョン信号を受信するように動作する。微同調器４４は、第１の微同調器部分１７０および第２の微同調器部分１８２を備えている。第１の微同調器部分１７０は、第１の粗同調済み衛星テレビジョン信号を特定のチャネルに微同調するように動作する。第２の微同調器部分１８２は、第２の粗同調済み衛星テレビジョン信号を特定のチャネルに微同調するように動作する。第１と第２の微同調器部分１７０と１８２により同調される特定のチャネルは、同じチャネルでもよく、異なるチャネルでもよい。第１および第２の微同調器部分１７０および１８２は、更に制御データも受信し利用するように動作する。
【手続補正１８】
【補正対象書類名】明細書
【補正対象項目名】００４９
【補正方法】変更
【補正の内容】
【００４９】
具体的には、第１の微同調器１７０は、ケーブル３２と通信する入力を有する周波数可変帯域通過フィルタ１７２を備えている。周波数可変帯域通過フィルタ１７２は、第１の粗同調済み衛星テレビジョン信号を受信するように動作する。第１の微同調器１７０はミクサーまたはコンバイナ１７４も備え、このミクサーまたはコンバイナ１７４は、周波数可変帯域通過フィルタ１７２からの信号を受信する第１の入力と、信号シンセサイザー１７６からの第１の合成信号ｆｆ１を受信する第２の入力とを有する。信号シンセサイザー１７６は、マスタ水晶発振器からのマスタ発振信号を利用して、第１の合成信号ｆｆ１を生成する。ミクサー１７４の出力（結果的なまたは組合わされた信号）は、低域通過フィルタ（ＬＰＦ）１７８に入力される。低域通過フィルタ１７８の出力は、増幅器１８０に入力される。増幅器１８０の出力は、第１の微同調済み衛星テレビジョン信号である。
【手続補正１９】
【補正対象書類名】明細書
【補正対象項目名】００５０
【補正方法】変更
【補正の内容】
【００５０】
第２の微同調器１８２は、ケーブル３２と通信する入力を有する周波数可変帯域通過フィルタ１８４を備えている。周波数可変帯域通過フィルタ１８４は、第２の粗同調済み衛星テレビジョン信号を受信するように動作する。第２の微同調器１８２はミクサーまたはコンバイナ１８６も備え、このミクサーまたはコンバイナ１８６は、周波数可変帯域通過フィルタ１８４からの信号を受信する第１の入力と、信号シンセサイザー１８８からの第２の合成信号ｆｆ２を受信する第２の入力とを有する。信号シンセサイザー１８８は、マスタ水晶発振器からのマスタ発振信号を利用して、第２の合成信号ｆｆ２を生成する。ミクサー１８６の出力（結果的なまたは組合わされた信号）は、低域通過フィルタ（ＬＰＦ）１９０に入力される。低域通過フィルタ１９０の出力は、増幅器１９２に入力される。増幅器１９２の出力は、第２の微同調済み衛星テレビジョン信号である。
【手続補正２０】
【補正対象書類名】明細書
【補正対象項目名】００５１
【補正方法】変更
【補正の内容】
【００５１】
微同調器４４の出力は、復調器および搬送波周波数オフセット測定回路／論理４８、具体的には処理部分４６に入力される。具体的には、第１の微同調済み衛星テレビジョン信号は、第１の復調器および搬送波周波数オフセット測定部分２００により受信され、第２の微同調済み衛星テレビジョン信号は、第２の復調器および搬送波周波数オフセット測定部分２１０により受信される。第１および第２の復調器および搬送波周波数オフセット測定部分２００および２１０は、入力された衛星テレビジョン信号を復調して、復調済みデータをデータ出力１およびデータ出力２として供給するように動作する。次いで、復調済みデータは、テレビジョンなどのテレビジョン信号受信機（図示せず）により利用される。搬送波周波数オフセットが、それぞれの復調器および搬送波周波数オフセット測定部分２００および２１０により測定される。
【手続補正２１】
【補正対象書類名】明細書
【補正対象項目名】００５２
【補正方法】変更
【補正の内容】
【００５２】
具体的には、第１の復調器および搬送波周波数オフセット測定部分２００は、アナログ・ディジタル変換器（Ａ／Ｄ）２０２を有し、このアナログ・ディジタル変換器（Ａ／Ｄ）２０２は、微同調器４４の第１の微同調器部分１７０と通信して、第１の微同調済み衛星テレビジョン信号を受信する。Ａ／Ｄ変換器２０２の出力（ディジタル・テレビジョン信号）は、ミクサーまたは乗算器２０４の一方の入力に入力される。ミクサー２０４の他方の入力は、ＣＴＬ／ＮＣＯ回路／論理２０８からの数値制御発振器（ＮＣＯ：Ｎｕｍｅｒｉｃａｌｌｙ  Ｃｏｎｔｒｏｌｌｅｄ  Ｏｓｃｉｌｌａｔｏｒ）信号を受信する。ミクサー２０４の出力は復調器２０６に入力され、復調器２０６の出力はデータ出力１として出力される。データ出力１は、第１の復調済みディジタル・テレビジョン信号である。復調器２０６はまた、第１の衛星信号の搬送波の位相誤差に関する搬送波信号（位相誤差信号）をＣＴＬ／ＮＣＯ回路／論理２０８に供給するようにも動作する。ＣＴＬ／ＮＣＯ２０８は数値制御発振信号を供給するように働き、この数値制御発振信号は、ミクサー２０４中で、Ａ／Ｄ変換器２０２からのディジタル・テレビジョン信号と組合わされる。ＣＴＬ／ＮＣＯ２０８は更に、第１の衛星信号に関する周波数誤差データ（即ち測定周波数誤差）を処理回路５０に供給するようにも動作する。
【手続補正２２】
【補正対象書類名】明細書
【補正対象項目名】００５３
【補正方法】変更
【補正の内容】
【００５３】
第２の復調器および搬送波周波数オフセット測定部分２１０は、アナログ・ディジタル変換器（Ａ／Ｄ）２１２を有し、このアナログ・ディジタル変換器（Ａ／Ｄ）２１２は、微同調器４４の第２の微同調器部分１８２と通信して、第２の微同調済み衛星テレビジョン信号を受信する。Ａ／Ｄ変換器２１２の出力（ディジタル・テレビジョン信号）は、ミクサーまたは乗算器２１４の一方の入力に入力される。ミクサー２１４の他方の入力は、ＣＴＬ／ＮＣＯ回路／論理２１８からの数値制御発振器（ＮＣＯ）信号を受信する。ミクサー２１４の出力は復調器２１６に入力され、復調器２１６の出力はデータ出力２として出力される。データ出力２は、第２の復調済みディジタル・テレビジョン信号である。復調器２１６はまた、第２の衛星信号の搬送波の位相誤差に関する搬送波信号（位相誤差信号）をＣＴＬ／ＮＣＯ回路／論理２１８に供給するようにも動作する。ＣＴＬ／ＮＣＯ２１８は数値制御発振信号を供給するように働き、この数値制御発振信号は、ミクサー２１４中で、Ａ／Ｄ変換器２１２からのディジタル・テレビジョン信号と組合わされる。ＣＴＬ／ＮＣＯ２１８は更に、第２の衛星信号に関する周波数誤差データ（即ち測定周波数誤差）を処理回路５０に供給するようにも動作する。
【手続補正２３】
【補正対象書類名】明細書
【補正対象項目名】００５４
【補正方法】変更
【補正の内容】
【００５４】
処理回路５０は、周波数誤差信号、データ、または情報を利用して、周波数補償信号を数値制御発振器（ＮＣＯ）アップリンク部分２２４に供給する。ＮＣＯアップリンク部分２２４は、周波数補償済み発振信号を生成して、ミクサーまたは乗算器２２２の第１の入力に供給するように動作する。ミクサー２２２の第２の入力は、屋内ユニット３０により生成された変調済みアップリンク・ベースバンド信号を受信する。この信号は一般に、ユーザー・インタフェース５８および処理回路５０を介したユーザー入力に応答して生成される。結果的な信号は、ディジタル・アナログ変換器（ＤＡＣ）２２６に入力される。
【手続補正２４】
【補正対象書類名】明細書
【補正対象項目名】００５６
【補正方法】変更
【補正の内容】
【００５６】
図６を参照すると、屋内ユニット３０中で使用される別の搬送波トラッキング・ループ（ＣＴＬ：Ｃａｒｒｉｅｒ  Ｔｒａｃｋｉｎｇ  Ｌｏｏｐ）の例示的な実施例が示してある。具体的には、図６には、例示的な２次搬送波トラッキング・ループが示してあり、屋内ユニット３０中で各ＣＴＬ／ＮＣＯ２０８および２１８に使用することのできるループ・フィルタを２４０で一般に示してある。具体的には、ＣＴＬ２４０は、位相誤差検出信号を受信するための第１および第２の回路／論理２４２および２４４である部分ＫｐおよびＫｉを有する。Ｋｉ２４４の出力は、積分器回路／論理（ｌｏｇｉｃ）２４６に供給され、この積分器回路／論理２４６の出力は、測定された周波数誤差として、またアナログ加算器２４８への入力として供給される。Ｋｐ２４２の出力は、アナログ加算器２４８への別の入力として供給される。アナログ加算器２４８からの結果的な信号は、数値制御発振器（ＮＣＯ）信号である。
【手続補正２５】
【補正対象書類名】明細書
【補正対象項目名】００５７
【補正方法】変更
【補正の内容】
【００５７】
処理回路５０はまた、屋内ユニット３０のチューナ（図示せず）を制御するためにチューナに供給されるデータ信号も生成する。処理回路５０はまた、屋外ユニット制御モデム５６へのデータ信号も生成して供給し、これらのデータ信号は、アナログ加算器２３８中で、マスタ水晶発振器５２からのマスタ発振信号と加算される。この結果得られる信号は、次いでアナログ加算器２３６中で、周波数可変帯域通過フィルタ２３４からのアップリンク信号と加算される。結果得られる信号は、ケーブル３２を介して屋外ユニット２４に供給される。
【手続補正２６】
【補正対象書類名】明細書
【補正対象項目名】００５８
【補正方法】変更
【補正の内容】
【００５８】
図７を参照すると、２４′で一般に示す、屋外ユニットの例示的な別の実施例が示してある。屋外ユニット２４の例示的な実施例は固定誘電体共振発振器を利用するが（即ち屋外ユニット２４の発振器は、マスタ発振信号に固定される／マスタ発振信号により特定周波数の信号に固定される）、屋外ユニット２４′は、非固定誘電体発振器を利用する。その他のタイプの固定および非固定発振器を使用してもよいことを理解されたい。屋外ユニット２４′は、衛星テレビジョン信号受信ディッシュ・アンテナ１６′と、ＬＮＢブロック変換器３４′および粗同調器３６′を含めた入来テレビジョン信号処理と、アップリンク部分４２′と、信号送信ディッシュ・アンテナ１８′を有する。屋外ユニット２４′は、制御データ処理回路／論理７０′を備え、この制御データ処理回路／論理７０′は、屋内ユニット（図７には示さず）により生成されて送られた制御データ／情報／信号を、ケーブル３２′を介して受信するように動作する。制御データ処理回路／論理７０′は更に、フィルタ同調、バラクタ制御電圧、ＲＦ帯域切換え制御、シンセサイザー・パラメータ／制御、送信電力制御、極性選択など、適切な制御データを屋外ユニット２４′の様々な構成要素に供給するように動作する。
【手続補正２７】
【補正対象書類名】明細書
【補正対象項目名】００５９
【補正方法】変更
【補正の内容】
【００５９】
受信ディッシュ・アンテナ１６′は、衛星放送テレビジョン信号（通常はディジタル衛星テレビジョン信号）を受信して、受信した衛星放送テレビジョン信号をＬＮＢブロック変換器３４′に供給するように動作する。具体的には、受信ディッシュ・アンテナ１６′は、ＬＮＢブロック変換器３４′の増幅器２５２と通信する。増幅器２５２は、増幅した衛星テレビジョン信号を、ミクサーまたはコンバイナ２５４の一方の入力に供給する。ミクサー２５４の他方の入力は、非固定誘電体共振発振器（ＤＲＯ）２５６からの発振器またはクロック信号ｆｄｒｏ（特定周波数の信号）を受信する。他の全てのミクサーまたは乗算器の場合と同様に、周波数の異なる２つの入力信号から、入力周波数の和および差を中心としたｎ個の出力信号が得られる。ダウンコンバートの場合は、出力信号は、低域通過フィルタまたは帯域通過フィルタにより選択された、より低い周波数の出力信号である。アップコンバートの場合は、出力信号は、高域通過フィルタまたは帯域通過フィルタにより選択された、より高い周波数の出力信号である。この場合では、ミクサー２５４からの結果得られる信号は、低域通過フィルタ（ＬＰＦ）２５８の入力に供給される。低域通過フィルタ２５８の出力は、増幅器２６０の入力に供給される。
【手続補正２８】
【補正対象書類名】明細書
【補正対象項目名】００６０
【補正方法】変更
【補正の内容】
【００６０】
増幅器２６０からのブロック・ダウンコンバート済み衛星テレビジョン信号は、ブロック・ダウンコンバート済み衛星テレビジョン信号の粗同調（周波数範囲同調）のために粗同調器３６′に供給され、具体的には、単一の粗同調器部分２６２に供給される。より具体的には、ブロック・ダウンコンバート済み衛星テレビジョン信号は、粗同調器部分２６２の、周波数可変帯域通過フィルタ（ＢＰＦ）２６４に供給される。周波数可変帯域通過フィルタは、制御データ処理回路／論理７０′から制御データを受信する。制御データは、全ての周波数可変帯域通過フィルタの場合と同様に、フィルタ応答（周波数応答）を設定する。周波数可変帯域通過フィルタ２６４の出力は、ミクサーまたはコンバイナ２６６の一方の入力に供給される。ミクサー２６６の他方の入力は、信号または発振器シンセサイザー２６８からのシンセサイザー信号（ｆｒｅｆｌｏ＊ｓｃｎ）を受信する。信号シンセサイザー２６８は、増幅器７４′からの基準トーンまたはマスタ発振信号ｆｒｅｆｌｏを受信する入力を有し、このマスタ発振信号ｆｒｅｆｌｏを処理して、特定周波数のシンセサイザー信号（ｆｒｅｆｌｏ＊ｓｃｎ）を得る。この周波数は、衛星テレビジョン信号の粗同調を可能にする。ミクサー２６６の出力は、帯域通過フィルタ２７０の入力に供給される。帯域通過フィルタ２７０は、選択された特定の帯域の周波数を通過させる応答を有する（粗同調）。帯域通過フィルタ２７０の出力は増幅器２７２に供給され、次いで増幅器２７２は、ケーブル３２を介して屋内ユニットに送られるように、増幅した粗同調済み衛星テレビジョン信号を供給する。
【手続補正２９】
【補正対象書類名】明細書
【補正対象項目名】００６１
【補正方法】変更
【補正の内容】
【００６１】
屋外ユニット２４′のアップリンク部分４２′は、ケーブル３２を介して屋内ユニットからアップリンク信号を受信し、周波数変換誤差の訂正を含めて相応にアップリンク信号を処理し、アップリンク信号を衛星への送信に向けてディッシュ・アンテナ１８に供給するように動作する。アップリンク部分４２′の帯域通過フィルタ（ＢＰＦ）２７６が、アップリンク信号を受信し、アップリンク信号を相応に濾波する。帯域通過フィルタ２７６の出力は、ミクサーまたはコンバイナ２７８の一方の入力に供給される。ミクサー２７８の他方の入力は、信号シンセサイザー２７４からの合成信号（ｆｒｅｆｌｏ＊ｓｃｎ）を受信する。信号シンセサイザー２７４は、増幅器７４′からのマスタまたは基準発振信号ｆｒｅｆｌｏから、特定周波数の合成信号を供給する。信号（ｆｒｅｆｌｏ＊ｓｃｎ）の周波数は、ミクサー２７８中で、アップリンク信号をより高い周波数にアップコンバートする。ミクサー２７８の出力は、周波数可変帯域通過フィルタ２８０（適切な制御信号を受信する）に供給され、周波数可変帯域通過フィルタ２８０は、適切なより高い周波数のアップリンク信号を、ミクサーまたはコンバイナ２８２の一方の入力に通過させる。ミクサー２８２の他方の入力は、誘電体共振発振器２５６からの発振信号ｆｄｒｏを受信する。この場合もまた、信号ｆｄｒｏの周波数は、入力アップリンク信号と合成されると、より高い周波数のアップリンク信号を生成する。これは、ミクサー２８２の出力を増幅器２８４および帯域通過フィルタ２８６を介して供給することにより得られる。帯域通過フィルタ２８６の出力は、送信機電力増幅器２８８に供給される。増幅された最終アップリンク信号は、送信アンテナ１８′に供給される。
【手続補正３０】
【補正対象書類名】明細書
【補正対象項目名】００６２
【補正方法】変更
【補正の内容】
【００６２】
本主題の衛星テレビジョン信号地上システムは単一のアップリンクを供給することを理解されたい。従って、データ・リンクを介してアップリンク・データ（アップリンク信号）をバースト転送する。本発明の一態様によれば、アップリンクの様々な合成信号およびその他のパラメータ／制約は入来信号搬送波オフセット測定に依存するので、アップリンクは、入来信号の受信に依存する。従って、アップリンクは、入来信号がダウンリンクにより受信されたときにだけ送信する。更に、発振器の１つまたは複数が入来信号に固定されていない場合は、送信機を非作動化することができ、また非作動化すべきである。また、送信機は、データ出力１とデータ出力２のどちらかによりコードまたは特定のメッセージが受信されない限り非作動化されるように構成することもできる。このようにして、送信機は、衛星が信号を受信できる状態にないときには送信を行わない。入来信号が受信されていず固定されていない場合は、対象アップリンク衛星がそこにないこと（ダウンリンク衛星に対応して）、および送信機を非作動化すべきであることが考えられる。